(57)【特許請求の範囲】
【請求項１】
（Ａ）球搬送ユニットと、研磨材カセットとを有し、
（Ｂ）前記球搬送ユニットは、前記研磨材カセットを嵌合して固定することができる研磨材カセット収容空間を有するハウジングと、そのハウジング内に設けられ、両端が前記ハウジングの外部に開口する球入口と球出口とに連通する斜めの球通路を含む球搬送手段と、駆動手段とを有し、
（Ｃ）前記研磨材カセットは、前記球搬送ユニットの研磨材カセット収容空間に嵌合して固定可能なカセット本体と、そのカセット本体の中に収容され、一部が前記カセット本体の外側面に水平方向移動可能に露出された無端帯状の研磨材と、前記カセット本体の外側面に露出された前記研磨材を前記カセット本体内に引き込む研磨材送り手段とを有し、
（Ｄ）前記研磨材は、前記研磨材カセットが研磨材カセット収容空間に嵌合された状態で、前記カセット本体の外側面に露出されている部分が前記球通路に対面し、かつ、その研磨材の上下端は前記球搬送ユニットの斜めの球通路の上下端よりもそれぞれ上側および下側に位置するような幅を有し、
（Ｅ）前記駆動手段は、前記球搬送ユニットの研磨材カセット収容空間に嵌合された前記研磨材カセットの研磨材送り手段を駆動させるものである、
ことを特徴とする球研磨装置。
【請求項２】
（Ａ）球搬送ユニットと、第１研磨材カセットと、第２研磨材カセットとを有し、
（Ｂ）前記球搬送ユニットは、前記第１研磨材カセットと前記第２研磨材カセットの任意の1個を置換的に嵌合して固定することができる研磨材カセット収容空間を有するハウジングと、そのハウジング内に設けられた球搬送手段と、第２駆動手段とを有し、
（Ｂ１）前記球搬送手段は、前記ハウジング内に回転自在に備えられたスクリューコンベアと、前記スクリューコンベアの外周の近傍に設けられ、前記スクリューコンベアとの間に軸方向に延びる球通路を形成する球搬送ガイドと、第１駆動手段とを有し、
（Ｃ）前記第１研磨材カセットは、前記球搬送ユニットの前記研磨材カセット収容空間に嵌合して固定可能なカセット本体と、そのカセット本体の中に収容され、一部が前記カセット本体の外側面に水平方向移動可能に露出された無端帯状の研磨材と、前記カセット本体の外側面に露出された前記研磨材を前記カセット本体内に引き込む研磨材送り手段とを有し、
（Ｄ）前記研磨材は、前記研磨材カセットが研磨材カセット収容空間に嵌合された状態で、前記カセット本体の外側面に露出されている部分が前記球通路に対面し、かつ、その研磨材の上下端は前記球搬送ユニットの斜めの球通路の上下端よりもそれぞれ上側および下側に位置するような幅を有し、
（Ｅ）前記第２駆動手段は、球搬送ユニットに備えられた第２モータと、その第２モータの回転力を前記球搬送ユニットの前記研磨材カセット収容空間に嵌合された前記第１研磨材カセットのギヤに伝動するギヤとを有する、
ことを特徴とする球研磨装置。
【請求項３】
（Ａ）球搬送ユニットと、第１研磨材カセットと、第２研磨材カセットとを有し、
（Ｂ）前記球搬送ユニットは、前記第１研磨材カセットと前記第２研磨材カセットの任意の1個を置換的に嵌合して固定することができる研磨材カセット収容空間を有するハウジングと、そのハウジング内に設けられた球搬送手段と、第２駆動手段とを有し、
（Ｂ１）前記球搬送手段は、前記ハウジング内に回転自在に備えられたスクリューコンベアと、前記スクリューコンベアの外周の近傍に設けられ、前記スクリューコンベアとの間に軸方向に延びる球通路を形成する球搬送ガイドと、第１駆動手段とを有し、
（Ｂ２）前記第１駆動手段は、第１モータと、前記第１モータの回転力を前記スクリューコンベアに伝動する一組のギヤと、前記第１モータの回転力を前記球搬送ユニットの前記研磨材カセット収容空間に嵌合された前記第２研磨材カセットのローラ状の研磨材に伝動する一組のギヤとを含み、
（Ｄ）前記第２研磨材カセットは、前記球搬送ユニットの前記研磨材カセット収容空間に嵌合して固定可能なカセット本体と、前記カセット本体の中に回転可能に備えられ、前記カセット本体の背面に露出している前記ローラ状の研磨材と、その研磨材に回転力を伝達するギヤとを有する、
ことを特徴とする球研磨装置。
【請求項４】
（Ａ）球搬送ユニットと、第１研磨材カセットと、第２研磨材カセットとを有し、
（Ｂ）球搬送ユニットは、第１研磨材カセットと第２研磨材カセットの任意の1個を置換的に嵌合して固定することができる研磨材カセット収容空間を有するハウジングと、そのハウジング内に設けられた球搬送手段と、第２駆動手段とを有し、
（Ｂ１）球搬送手段は、ハウジング内に回転自在に備えられたスクリューコンベアと、スクリューコンベアの外周の近傍に設けられ、スクリューコンベアとの間に軸方向に延びる球通路を形成する球搬送ガイドと、第１駆動手段とを有し、
（Ｂ２）第１駆動手段は、第１モータと、第１モータの回転力をスクリューコンベアに伝動する一組のギヤと、第１モータの回転力を球搬送ユニットの研磨材カセット収容空間に嵌合された第２研磨材カセットのローラ状の研磨材に伝動する一組のギヤとを含み、
（Ｃ）第１研磨材カセットは、球搬送ユニットの研磨材カセット収容空間に嵌合して固定可能なカセット本体と、そのカセット本体の中に収容され、一部がカセット本体の外側面に水平方向移動可能に露出された無端帯状の研磨材と、カセット本体内の外側面に露出された研磨材をカセット本体内に引き込む研磨材送り手段とを有し、
（Ｄ）第２研磨材カセットは、球搬送ユニットの研磨材カセット収容空間に嵌合して固定可能なカセット本体と、カセット本体の中に回転可能に備えられ、カセット本体の背面に露出しているローラ状の研磨材と、そのローラ状の研磨材に回転力を伝達するギヤとを有し、
（Ｅ）第２駆動手段は、球搬送ユニットに備えられた第２モータと、その第２モータの回転力を球搬送ユニットの研磨材カセット収容空間に嵌合された第１研磨材カセットのギヤ211に伝動するギヤ225とを有する、
ことを特徴とする球研磨装置。
【発明の詳細な説明】
【技術分野】
【０００１】
本発明は、遊技機において用いられる遊技球研磨装置に関する。
【背景技術】
【０００２】
近年、遊技機の遊技球循環経路を遊技機の外部に対して密閉して、遊技者に球に触れさせることなくゲームが可能で、発射した球が入賞したときに獲得される遊技球（以下、球という。）の数(賞球獲得数)を積算してその賞球獲得数を所定の位置に表示し、球を発射する度に賞球獲得数から減算し、遊技終了時における賞球獲得数を記録媒体に記録して発行する非開放型遊技機が種々知られている(特許文献１〜４)。
【０００３】
非開放型遊技機においても、開放型遊技機の場合ほどではないが、球に静電気等により汚れが付着することがあるので、汚れ取りと球に光沢を付与するための球研磨装置が必要である。遊技機内の球循環経路において球を研磨する比較的小型の球研磨装置を備えた非開放型遊技機は特許文献１に開示されている。
【先行技術文献】
【特許文献】
【０００４】
【特許文献１】実用新案登録第２５１６３４５号公報
【特許文献２】特許第２７９９６１２号公報
【特許文献３】特開平５−１７７０５０号公報
【特許文献４】特公平７−５３１８８号公報
【発明の概要】
【発明が解決しようとする課題】
【０００５】
しかしながら、特許文献１記載の球研磨装置は、遊技機の遊技盤面に発射された球を回収する球循環経路に、一対の棒状の球通路形成部材を球の径よりも小さい間隔を持って平行に架設し、球通路形成部材により形成された球通路の長手方向と平行な軸を有するスクリューコンベアをその頭部が球通路に臨むように設けるとともに、そのスクリューコンベアを所定方向に回転駆動するモータを設け、球通路の上側の取付板に球通路に対面するように固着された研磨材と、その研磨材を球通路側に付勢する弾性部材とからなる研磨手段を備えて、球通路の一端の球入口から進入した球がスクリューコンベアにより球通路を移送され、球通路の他端の球出口から出るまでの間に球が研磨手段により研磨されるように構成されたものである。
【０００６】
したがって、研磨材は取付板に固着され、その取付板は遊技機本体にビスなどの固着手段により固定されている。このような構成であるから、研磨材の有効期間が短く、遊技ホール営業中は研磨材の汚れ具合を確認することができないので研磨手段交換の適時を徒過する虞があるばかりでなく、研磨手段の交換に多くの手間とコストがかかるという問題があった。
【０００７】
そこで、本発明は上記の問題を解決するためになされたものであり、研磨材の有効期間が延長され、研磨手段の交換に多くの手間とコストがかからない球研磨装置を提供することを目的とする。
【課題を解決するための手段】
【０００８】
上記目的を達成するため、本発明に係る球研磨装置は、一側面において、
（Ａ）球搬送ユニットと、研磨材カセットとを有し、
（Ｂ）球搬送ユニットは、研磨材カセットを嵌合して固定することができる研磨材カセット収容空間を有するハウジングと、そのハウジング内に設けられ、両端がハウジングの外部に開口する球入口と球出口とに連通する斜めの球通路を含む球搬送手段と、駆動手段とを有し、
（Ｃ）研磨材カセットは、球搬送ユニットの研磨材カセット収容空間に嵌合して固定可能なカセット本体と、そのカセット本体の中に収容され、一部が記カセット本体の外側面に水平方向移動可能に露出された無端帯状の研磨材と、カセット本体の外側面に露出された研磨材を前記カセット本体内に引き込む研磨材送り手段とを有し、
（Ｄ）研磨材は、研磨材カセットが研磨材カセット収容空間に嵌合された状態で、カセット本体の外側面に露出されている部分が球通路に対面し、かつ、その研磨材の上下端は球搬送ユニットの斜めの球通路の上下端よりもそれぞれ上側および下側に位置するような幅を有し、
（Ｅ）駆動手段は、球搬送ユニットの研磨材カセット収容空間に嵌合された研磨材カセットの研磨材送り手段を駆動させるものである、
ことを特徴とする球研磨装置。
【０００９】
本発明に係る球研磨装置は、他の側面において、
（Ａ）球搬送ユニットと、第１研磨材カセットと、第２研磨材カセットとを有し、
（Ｂ）球搬送ユニットは、第１研磨材カセットと第２研磨材カセットの任意の1個を置換的に嵌合して固定することができる研磨材カセット収容空間を有するハウジングと、そのハウジング内に設けられた球搬送手段と、第２駆動手段とを有し、
（Ｂ１）球搬送手段は、ハウジング内に回転自在に備えられたスクリューコンベアと、スクリューコンベアの外周の近傍に設けられ、スクリューコンベアとの間に軸方向に延びる球通路を形成する球搬送ガイドと、第１駆動手段とを有し、
（Ｃ）第１研磨材カセットは、球搬送ユニットの研磨材カセット収容空間に嵌合して固定可能なカセット本体と、そのカセット本体の中に収容され、一部がカセット本体の外側面に水平方向移動可能に露出された無端帯状の研磨材と、カセット本体の外側面に露出された研磨材をカセット本体内に引き込む研磨材送り手段とを有し、
（Ｄ）研磨材は、研磨材カセットが研磨材カセット収容空間に嵌合された状態で、カセット本体の外側面に露出されている部分が球通路に対面し、かつ、その研磨材の上下端は球搬送ユニットの斜めの球通路の上下端よりもそれぞれ上側および下側に位置するような幅を有し、
（Ｅ）第２駆動手段は、球搬送ユニットに備えられた第２モータと、その第２モータの回転力を球搬送ユニットの研磨材カセット収容空間に嵌合された第１研磨材カセットのギヤに伝動するギヤとを有する、
ことを特徴とする。
【００１０】
本発明に係る球研磨装置は、さらに他の側面において、
（Ａ）球搬送ユニットと、第１研磨材カセットと、第２研磨材カセットとを有し、
（Ｂ）球搬送ユニットは、第１研磨材カセットと第２研磨材カセットの任意の1個を置換的に嵌合して固定することができる研磨材カセット収容空間を有するハウジングと、そのハウジング内に設けられた球搬送手段と、第２駆動手段とを有し、
（Ｂ１）球搬送手段は、ハウジング内に回転自在に備えられたスクリューコンベアと、スクリューコンベアの外周の近傍に設けられ、スクリューコンベアとの間に軸方向に延びる球通路を形成する球搬送ガイドと、第１駆動手段とを有し、
（Ｂ２）第１駆動手段は、第１モータと、第１モータの回転力をスクリューコンベアに伝動する一組のギヤと、第１モータの回転力を球搬送ユニットの研磨材カセット収容空間に嵌合された第２研磨材カセットのローラ状の研磨材に伝動する一組のギヤとを含み、
（Ｄ）第２研磨材カセットは、球搬送ユニットの研磨材カセット収容空間に嵌合して固定可能なカセット本体と、カセット本体の中に回転可能に備えられ、カセット本体の背面に露出しているローラ状の研磨材と、その研磨材に回転力を伝達するギヤとを有する、
ことを特徴とする。
【００１１】
本発明に係る球研磨装置は、さらに他の側面において、
（Ａ）球搬送ユニットと、第１研磨材カセットと、第２研磨材カセットとを有し、
（Ｂ）球搬送ユニットは、第１研磨材カセットと第２研磨材カセットの任意の1個を置換的に嵌合して固定することができる研磨材カセット収容空間を有するハウジングと、そのハウジング内に設けられた球搬送手段と、第２駆動手段とを有し、
（Ｂ１）球搬送手段は、ハウジング内に回転自在に備えられたスクリューコンベアと、スクリューコンベアの外周の近傍に設けられ、スクリューコンベアとの間に軸方向に延びる球通路を形成する球搬送ガイドと、第１駆動手段とを有し、
（Ｂ２）第１駆動手段は、第１モータと、第１モータの回転力をスクリューコンベアに伝動する一組のギヤと、第１モータの回転力を球搬送ユニットの研磨材カセット収容空間に嵌合された第２研磨材カセットのローラ状の研磨材に伝動する一組のギヤとを含み、
（Ｃ）第１研磨材カセットは、球搬送ユニットの研磨材カセット収容空間に嵌合して固定可能なカセット本体と、そのカセット本体の中に収容され、一部がカセット本体の外側面に水平方向移動可能に露出された無端帯状の研磨材と、カセット本体内の外側面に露出された研磨材をカセット本体内に引き込む研磨材送り手段とを有し、
（Ｄ）第２研磨材カセットは、球搬送ユニットの研磨材カセット収容空間に嵌合して固定可能なカセット本体と、カセット本体の中に回転可能に備えられ、カセット本体の背面に露出しているローラ状の研磨材と、そのローラ状の研磨材に回転力を伝達するギヤとを有し、
（Ｅ）第２駆動手段は、球搬送ユニットに備えられた第２モータと、その第２モータの回転力を球搬送ユニットの研磨材カセット収容空間に嵌合された第１研磨材カセットのギヤ211に伝動するギヤ225とを有する、
ことを特徴とする。
【発明の効果】
【００１２】
本発明によれば、研磨材の有効期間が延長され、研磨手段の交換に多くの手間とコストがかからない球研磨装置を提供することができる。また、球が研磨材を捲り上げることが無い。
【図面の簡単な説明】
【００１３】
【図１】本発明の実施の形態に係る球研磨装置を取り付けた遊技装置の一例の正面図である。
【図２】本発明の実施の形態に係る球研磨装置の３つの構成要素を示す斜視図である。
【図３】球研磨装置の第１構成要素である球搬送ユニットを正面側から見た斜視図である。
【図４】図３の球搬送ユニットの正面図である。
【図５】図４のＸ−Ｘ線断面図である。
【図６】球研磨装置の第２構成要素である第１研磨材カセットを示す図面であり、（ａ）は研磨材を除去した状態の第１研磨材カセットの正面側から見た斜視図、（ｂ）は正面図、（ｃ）は底面図である。
【図７】第１研磨材カセットの上箱を取り外した状態の平面図である。
【図８】図７の第１研磨材カセットの斜視図である。
【図９】球搬送ユニットに第１研磨材カセットを嵌合してなる第１タイプの球研磨装置の斜視図である。
【図１０】図９の球研磨装置の正面図である。
【図１１】図１０のＹ−Ｙ線断面図である。
【図１２】第１タイプの球研磨装置における球の搬送経路と研磨材の位置関係を説明する斜視図である。
【図１３】図１２の球研磨装置における球の搬送方向と研磨材の移動方向の関係を示す斜視図である。
【図１４】球研磨装置の第３構成要素である第２研磨材カセットの斜視図である。
【図１５】図１４の第２研磨材カセットの内部構成を示す背面側の斜視図である。
【図１６】図１４の第２研磨材カセットの展開図である。
【図１７】球搬送ユニットに第２研磨材カセットを嵌合してなる第２タイプの球研磨装置の斜視図である。
【図１８】図１７の球研磨装置の正面図である。
【図１９】第２タイプの球研磨装置における球の搬送経路と研磨材の位置関係を説明する斜視図である。
【図２０】図１９の球研磨装置における球の搬送方向と研磨材の移動方向の関係を示す斜視図である。
【図２１】図１８のＺ−Ｚ断面図である。
【図２２】第２タイプの球研磨装置における第２研磨材カセットの他の例を示す断面図である。
【発明を実施するための形態】
【００１４】
続いて、本発明の実施の形態について図面を参照しながら説明する。
最近は、球研磨装置の負荷やその球供給制御の複雑化、あるいは研磨材の交換の手間やコストなどメンテナンス性の問題から、遊技島の規模を１台または２，３台の遊技機を備えた小規模な遊技島とし、その範囲内で限られた数の球を上手くリユースするような遊技装置が開発されている。ここで、遊技機は球として鋼球を用いるパチンコ機である。
【００１５】
本発明の実施の形態に係る球研磨装置は、１台の遊技機または横並びもしくは背中合わせに併設された２台の遊技機から構成される小規模の遊技島、あるいは数台の遊技機から構成される通常規模の遊技島のいずれにおいても使用可能である。
【００１６】
［球研磨装置の設置環境］
図１は、小規模遊技島を構成する遊技装置Ｇが横並びに併設された２台の遊技機Ｇ１，Ｇ２からなる場合に本発明の実施の形態に係る球研磨装置Ｍを設けた例を示す。球研磨装置Ｍは、遊技機Ｇ１，Ｇ２のいずれか一方の下部又は双方の境界の下部に取付けられている。なお、球研磨装置Ｍの取付位置は、遊技機の下部に限らず、上部や内部でもよい。
【００１７】
遊技装置Ｇを構成する２台の遊技機Ｇ１，Ｇ２は、それぞれが一側において本体に開閉可能に軸支されたガラス扉２と前面板３とを有し、ガラス扉２の背面側に遊技盤４が設けられている。前面板３には、周知の球発射装置（図示省略）への球発射指令入力と球発射速度調節を行なう操作部５が設けられている。
【００１８】
各遊技機Ｇ１，Ｇ２には、片側に球貸し機８が設けられている。球貸し機８は、周知のものであり、表示ランプ８ａ、紙幣投入口８ｂ、硬貨投入口８ｃ、硬貨返却口８ｄおよびカード挿入口８ｅを有している。球貸し機８には隣接する遊技機に球を供給する球貸与管１５が設けられている。
【００１９】
図１において、１６は上皿、１７は下皿、１８はロート、１９は受け皿である。２０は、遊技盤４に設けられた残存球数と賞球獲得数を表示するための表示部である。表示部２０を設ける位置は、遊技盤４に限らず、遊技客の見やすい任意の位置でよい。上皿１６と下皿１７は、その中に収容されている球を外側から透視できる。
【００２０】
図１の遊技装置Ｇにおいては、各遊技機Ｇ１，Ｇ２からの落下球の回収機能、球研磨機能および遊技機への球供給機能がこの２台の遊技機において完結している。すなわち、各遊技機Ｇ１，Ｇ２の遊技盤４から外れ球回収口ｈ１および入賞口ｈ２に入った球は、各遊技機の最下段のロート１８に受け入れられ、そのロート１８から球回収路３０を経て、下部タンク３１に一旦貯められた後、球研磨装置Ｍの後述される球入口129に流入し、後述のように球研磨装置Ｍ内で搬送され研磨された球は、球研磨装置Ｍの後述される球出口132から排出され、コイルコンベアまたはスクリューコンベア等の周知の球揚送手段３２により上部タンク３３まで揚送されるようになっている。
【００２１】
上部タンク３３に収容された球は、第１球補給管３４を介して各遊技機Ｇ１，Ｇ２の各受け皿１９に、および第２球補給管３５を介して球貸し機８の上端部に、それぞれ制御された数量を供給されるようになっている。
【００２２】
［球研磨装置］
続いて、球研磨装置Ｍについて詳細に説明する。球研磨装置Ｍは、図２に示すように、球搬送ユニット100に第１研磨材カセット200を装着し、または、球搬送ユニット100に第２研磨材カセット300を装着してなる。後に詳述されるように、第１研磨材カセット200は、その中に無端帯状の研磨材を外側面に一部露出させた状態で水平方向に移動可能に収容している。また、後に詳述されるように、第２研磨材カセット300は、その中にローラ状の研磨材を斜めの軸周りに回転自在に収容している。以下に、球搬送ユニット100、第１研磨材カセット200および第２研磨材カセット300について、この順序で詳細に説明する。
【００２３】
［球搬送ユニット］
球搬送ユニット100は、図２，３に示すように、正面側に開口する箱状のハウジング110を有する。そのハウジング110の中に、一方側下部から他方側上部まで斜めに連続する球搬送手段120が設けられている。その球搬送手段120の手前側（正面側）に、研磨材カセット200を嵌合して固定することができる研磨材カセット収容空間111が形成されている。
【００２４】
球搬送手段120は、主たる構成要素として、球搬送ガイド121と、スクリューコンベア(以下、単にコンベアという。)122と、そのコンベアを回転駆動する第１駆動手段と、コンベア122の回転を検知するための回転検知センサ124とを有する。
【００２５】
球搬送ガイド121は、横断面形状がコ字形または円弧状の縦長部材で形成され、研磨材カセット収容空間111の一方側下部から他方側上部まで斜めに連続する状態でハウジング110に固定されている。また、球搬送ガイド121は、正面側に軸方向に連続する開口を有する。その開口は、球Ｃの直径よりもわずかに大きな幅を有するとともに、図５に示すように、開口を形成する互いに対向する端縁121a,121bは平行に蛇行されている。球搬送ガイド121の形状は図示の例に限られない。後述される球通路Ｐとなる開口を形成する互いに対向する端縁121a,121bのみで球搬送ガイド121を構成しても良い。
【００２６】
コンベア122は、ハウジング110の内面に固着された左右の支持部材112に取付けられた軸受（図示省略）により球搬送ガイド121の中心に回転軸122aを合致させた状態で回転可能に支持されている。
【００２７】
球搬送ガイド121はコンベア122を同心円状に包囲しており、球搬送ガイド121の端縁121a,121bとコンベア122との間にコンベア122の軸方向に連続して蛇行する斜めの球通路Ｐが形成されている。コンベア122は、螺旋状の外周面が球搬送ガイド121の内面に近接する外径を有し、コンベア122の回転軸122aの外周面と球搬送ガイド121の内面との間の間隔は球Ｃの直径よりも僅かに小さく、スクリューのピッチは球Ｃの直径よりも僅かに大きく設定されている。
【００２８】
上記のように、球搬送ガイド121は、コンベア122の外周の近傍に設けられ、コンベア122との間に軸方向に延びる球通路Ｐを形成するとともに、その球通路Ｐの一端は球入口129に連通し、その球通路Ｐの他端は球出口132に連通している。
【００２９】
第１駆動手段は、ハウジング110の背面の図４においては右側に突設されたケース113内に取り付けられたモータ123と、そのモータ123の回転力の減速と伝動を兼ねる一組のギヤ125a, 125bと、コンベア122の軸122aに固着され、ギヤ125bに噛み合っているギヤ125cとからなる。
【００３０】
本発明に基き、球搬送ユニット100の共用化を可能にする一つの構成として、第１駆動手段には一組のギヤ125a, 125bと共通の軸上に、もう一組のギヤ126a, 126bが追加されている。この追加されたギヤ126a, 126bは、球搬送ユニット100に後述される第２研磨材カセット300が嵌合されたときに、第２研磨材カセット300に設けてある伝動手段を構成するギヤ334にモータ123の回転力を伝えるためのものである。
【００３１】
ハウジング110の中には、球搬送ユニット100に研磨材カセット200が装着されたときに研磨材移動手段を駆動するための第２駆動手段が設けてある。第２駆動手段は、図３，４に示すように、モータ223と、そのモータ223の回転軸に固着されたギヤ225とからなっている。
【００３２】
球搬送ガイド121の一端側部分（図４においては右端側部分）には、図５に示すように、第１連絡路128の下端部が接続されている。第１連絡路128の上端部はハウジング110の上面壁において外側に開口されている球入口129と接続されている。これにより、球入口129から入る球Ｃは第１連絡路128の中を流下して球通路Ｐの一端部に進入するようになっている。
【００３３】
球搬送ガイド121の他端側部分（図４においては左端側部分）にも、第２連絡路130の上端部が接続されている。第２連絡路130の下端部131はハウジング110の側面壁側に曲げられ、その先端がハウジング110の側面壁において外側に開口されている球出口132と接続されている。これにより、球通路Ｐを通過する球Ｃは第２連絡路128の中を通って球出口132から排出されるようになっている。
【００３４】
球入口129には、図１の下部タンク３１の球供給管の下端部が結合、球出口132には、図１の遊技装置Ｇの球揚送手段３２に結合される。
【００３５】
上記のように、モータ123とギア列125a〜125cとで、球搬送手段120のコンベア122を所定方向に回転させる駆動手段（第１駆動手段）が構成されている。コンベア122は球が斜めの球通路Ｐの下端部から上端部まで搬送されるように回転される。
【００３６】
回転検知センサ124は、図示を省略されているが、一例として、ハウジング110に取付けられた既知の光電センサと、コンベア122の回転軸の下方延長部分に固着されたエンコーダとで構成されている。この回転検知センサ124は、動作確認のために用いられるが、必要であれば、コンベア122の回転角度に基づいて球出口132から排出される球数を計数させることも可能である。球数を計数するための球数計数センサは、他の構成のものでよいし、別の位置に設けても良い。また、回転検知センサ124からの信号は、この球研磨装置の稼働を止める制御を行うために用いられる。
【００３７】
そして、上記球搬送ユニット100は、ハウジング110の研磨材カセット収容空間111を遊技機の正面方向に向けた状態で遊技機内に収容され、ハウジング110の開口面の四隅に一体に形成された取付片133においてねじ止め等の固着手段により所定の位置に着脱可能に取付けられる。したがって、球研磨装置Ｍは、遊技装置Ｇに対して容易に取付けることができる。なお、球搬送ユニット100の取付方向は、遊技機の台数や構成による制約から任意に決められる。
【００３８】
球搬送ユニット100のハウジング110には、研磨材カセット収容空間111の所定の位置に嵌合される後述される第１研磨材カセット200を捕捉して固定する周知のキャッチ手段134が設けてある。
【００３９】
［第１研磨材カセット］
第１研磨材カセット200は、図６、７、８に示すように、密閉された略横長箱状に形成されたカセット本体201を有し、そのカセット本体201の中の研磨材収容空間202に無端帯状の研磨材203が蛇行状に詰めて収容されている。無端帯状の研磨材203には、蛇腹状から平面状を経て再び蛇腹状に繰り返し変形可能な研磨材料、例えば、研磨布等が用いられている。
【００４０】
無端帯状の研磨材203は、カセット本体201の背面壁（球搬送ユニット100のハウジング110の研磨材カセット収容空間111と対面する面の壁）204の一方側端部（図７,８においては右側端部）に形成されている縦スリットからなる研磨材出口205から外側に引き出され、カセット本体201の背面壁204の外側面に沿って背面壁204の他方側端部（図７,８においては左側端部）まで背面壁204を覆うように延長され、その背面壁204の他方側端部に形成されている縦スリットからなる研磨材入口206から再び研磨材収容空間202内に引き込まれている。すなわち、無端帯状の研磨材203はカセット本体201の背面壁の外側に露出され、背面壁204により垂直に緊張した状態を維持されている。研磨材203のカセット本体201の背面側に露出されている一定の面積を有する長方形の露出部分203aが、後述されるように球の研磨領域ＰＦを提供する。
【００４１】
研磨材収容空間202内には、研磨材入口206の内側に研磨材203を所定方向に送る研磨材送り手段207が設けられている。研磨材送り手段207は、研磨材入口206の内側において回転軸を垂直にしたギヤピッチが等しい２本のギヤローラ208,209を、一方のギヤローラ208は固定の位置で、他方のギヤローラ209は一方のギヤローラ208に接近方向に付勢された状態で、それぞれ回転自在に、かつ、互いに歯が噛み合うように設けられ、一方のギヤローラ208の軸208aをカセット本体201の底面壁210を貫通して下方に延長し、その延長部に外部から回転力を受けるためのギヤ211を固着してなっている。そして、研磨材203はギヤローラ208,209の間を通され、板バネなどのバネ部材(図示書略)により付勢されているギヤローラ209により研磨材203に永久変形が生じない程度の力でギヤローラ208,209の間に挟圧されている。
【００４２】
カセット本体201は、図６に示すように、高さ方向のほぼ中間位置で上下の箱体201a，201bに二分割して構成されている。なお、箱体の分割構造は必ずしも等分に限らず、器と蓋の形態でもよい。図７,８は、図６の上下の箱体を境界面で分離し、研磨材203およびギヤローラ208,209をその境界面において切断して示す図である。上下の箱体201a，201bをその開口面の周縁を突き合わせ、両箱体201a,201bの周縁の四隅に形成してある舌片においてねじ212等により結合することにより、図６に示すような単一体に形成されている。通常の作業としては単一体として入れ替えができるため、メンテナンスが容易である。そして、二つに分けた状態で、研磨材収容空間202の研磨材203の交換が可能になる。したがって、無端帯状の研磨材203および第１研磨材カセット200のリサイクル性に優れる。
【００４３】
さらに、カセット本体201には、図６に示すように、上面壁213と底面壁210にそれぞれ上下方向に突出する突起214,215が設けられている。これらの突起214,215は、球搬送ユニット100のハウジング110に設けてあるキャッチ手段134と位置的に対応している。
【００４４】
［第１タイプの球研磨装置の組立］
球搬送ユニット100のハウジング110の研磨材カセット収容空間111は、第１研磨材カセット200のカセット本体201の背面形状とほぼ同一の背面形状を有する。したがって、第１研磨材カセット200は、図９，１０，１２に示すように、球搬送ユニット100の研磨材カセット収容空間111に緊密に嵌合することができる。そして、嵌合すると、第１研磨材カセット200の突起214,215が球搬送ユニット100のキャッチ手段134に捕捉されて固定される。
この状態において、図９,１０に示すような第１タイプの球研磨装置Ｍ１が完成する。
【００４５】
第１タイプの球研磨装置Ｍ１においては、第１研磨材カセット200の外側面に露出されている研磨材203の長方形の露出部分203aが球搬送ユニット100の斜めの球通路Ｐに近接する。この場合、研磨材203が球通路Ｐに近接する範囲は、球通路Ｐを搬送される球が研磨材に接触する研磨領域ＰＦとなるが、その研磨領域ＰＦは図１３に鎖線で示すように、研磨材203のカセット本体外側の露出部分203aの対角線に近い位置の斜め帯状の範囲であって、上端は露出部分203aの上辺203bよりも低い位置に存在し、下端は露出部分203aの下辺203cよりも高い位置に存在するように、露出部分203aの寸法および球通路Ｐの傾斜角度が設定されている。
【００４６】
また、第１研磨材カセット200を球搬送ユニット100の研磨材カセット収容空間111に嵌合したときは、研磨材移動手段のギヤ211が球搬送ユニット100に設けられた第２駆動手段のギヤ225と噛み合う（図１０参照）。
【００４７】
[第１タイプの球研磨装置の作用および効果]
続いて、第１タイプの球研磨装置Ｍ１の稼働時の作用を説明する。第１駆動手段および第２駆動手段が稼働されると、コンベア122が所定方向に回転されて、図１１,１３に黒い太線で示すように、ハウジング110の球入口129から第１連絡路128を経て球通路Ｐの始端に流下した球は、球通路Ｐを斜め上方に搬送されるとともに、研磨材カセット200の外側に露出されている研磨材203（露出部分203a）は球Ｃの搬送方向と逆方向の水平方向に移動される。すなわち、研磨材が研磨領域ＰＦにおいて水平方向に移動されるのに対して、球Ｃは研磨領域ＰＦにおいて研磨材の移動方向と逆方向の斜め上方に搬送され、その間に球Ｃが研磨材203に接触して研磨される。
【００４８】
球通路Ｐの終端まで搬送された球Ｃは、第２連絡路130を経て球出口132から球搬送ユニット100の外側に排出される。
【００４９】
そして、球は研磨領域において研磨材の移動方向と逆方向の斜め上方に搬送されるので、研磨材との接触距離を長く取ることができるため、研磨効率が向上する。また、球通路Ｐは若干蛇行しているので、球の球面全体が満遍なく研磨材に接触されるので、一層効率良く研磨される。また、球の研磨材に対する接触範囲は研磨材の上端と下端を避けた範囲に限定されているので、球がとくに研磨材の下端に接触して捲り上げることが無い。さらに、球は斜め上方に搬送されるので、研磨材が幅方向中間位置において捩られることも抑制されている。
【００５０】
［第２研磨材カセット］
進んで、第２研磨材カセット300について説明する。第２研磨材カセット300は、概括的には、図１４，１５に示すように、背面側（球搬送ユニット100のハウジング110の研磨材カセット収容空間111に対面する側）に開口する箱状に形成されているカセット本体310と、そのカセット本体310の中に回転軸を斜めにした状態で回転可能に備えられ、カセット本体310の背面側に露出しているローラ状の研磨材320と、そのローラ状の研磨材に回転力を伝達する伝動手段330とを有する。
【００５１】
カセット本体310は、球搬送ユニット100の研磨材カセット収容空間111に嵌合可能な形状に形成されている。
【００５２】
ローラ状の研磨材320は、一例としてブラシで形成され、その軸方向の長さは球搬送ユニット100の球通路Ｐの長さ略等しい。そして、ローラ状の研磨材320の軸321は、左右の支持部材322によりカセット本体310の長手方向に対して斜め状態で回転自在に支持されている。その傾斜角度は、第２研磨材カセット300が球搬送ユニット100に装着された状態で、球搬送ユニット100の球通路Ｐの傾斜角度と一致するように設定されている。
【００５３】
伝動手段330は、研磨材320の軸321の低い側の端部に固着されたギヤ331と、カセット本体310内のそのギヤ331の上側に支持部材322とカセット本体310の側面壁315との間に回転自在に支持された伝動軸332と、その伝動軸332のカセット本体310内側部分に固着され、ギヤ331と噛み合うギヤ333と、伝動軸332のカセット本体310の側面壁315から外側に延出された部分に固着されたギヤ334とで構成されている。
【００５４】
［第２タイプの球研磨装置の組立］
カセット本体310の上面壁311と底面壁312に、それぞれ上下方向に突出する突起313,314が設けられている。この突起313,314は、第1研磨材カセットの突起214,215と同様のものであり、第２研磨材カセット300は、図１７、１８に示すように、球搬送ユニット100の研磨材カセット収容空間111に緊密に嵌合することができる。そして、嵌合すると、第２研磨材カセット300の突起313,314が球搬送ユニット100のキャッチ手段134に捕捉されて固定される。この状態において、図１７、１８に示すような第２タイプの球研磨装置Ｍ２が完成する。
【００５５】
第２タイプの球研磨装置Ｍ２においては、図２１に示すように、第２研磨材カセット300のローラ状の研磨材320の回転軸321が球搬送ユニット100の搬送ガイド121の開口と平行になり、ローラ状の研磨材320の外周面の軸方向と平行な一部が球搬送ユニット100の球通路Ｐの全長に亘って近接する。また、第２研磨材カセット300の伝動手段330を構成する外部のギヤ334が球搬送ユニット100の第1駆動手段のギヤ125a,125bに付加されたギヤ126a,126bに動力的に連結される。
【００５６】
[第２タイプの球研磨装置の作用および効果]
球搬送ユニット100の第1駆動手段が起動され、コンベア122が所定方向に回転されると、第２研磨材カセット300の伝動手段330を介してローラ状の研磨材320も所定方向に回転される。したがって、球入口129から球通路Ｐの一端に流下した球は、コンベア122により球通路Ｐを搬送され、その間に回転するローラ状の研磨材320の外周面が球に接触することで、球が研磨される。そして、研磨された球は球通路Ｐの他端から球出口132に排出される。
【００５７】
ローラ状の研磨材320には、使用により汚れが蓄積する。蓄積したときは、第２研磨材カセット300を球搬送ユニット100から取り外して、新品と交換することが容易にできる。
【００５８】
［他の実施の形態］
球搬送ユニット100全体の交換に代えて、第２研磨材カセット300内に、ローラ状の研磨材320の外周面に接触して汚れを掻き取るブレード（図示省略）と、そのブレードを支持し、かつ、ブレードにより掻き取られた粉粒物を収容するケース等（図示省略）からなる研磨材再生手段を備えることが好ましい。図１６の316は、その研磨材再生手段を第２研磨材カセット300に着脱可能に取付けるために設けられた孔である。
【００５９】
図２２は、ローラ状の研磨材320にブラシに代えてローラ状スポンジ320Ａを用いる場合の、図２１の円Ｅに対応する断面図である。スポンジを用いる場合は、ブラシに比し、球の汚れ除去効率が良く、球の過剰研磨が少ない。また、弾性を有するので、交換が容易にできる。
【００６０】
ローラ状スポンジ320Ａを用いる場合は、図２２に例示するように、研磨材再生手段340として、第２研磨材カセット300に設けられた支持アーム341にスポンジ再生プレート342の一端を揺動自在に支持し、支持アーム341に取付けたバネ343によりスポンジ再生プレート342の他端に設けたブレードなどからなるスポンジ再生部344をローラ状スポンジ320Ａの外周面に向けて付勢している。スポンジ再生部344によって、球との接触により汚れが転写されたスポンジ表面が削れて次々に新しい面が現れるため、長期間安定した研磨性能を得ることができる。また、表面を削られることによりスポンジ320Aの径は徐々に小さくなるが、その場合でも球方向へテンションが加わっているため、常に一定の力で球に接触する。
【００６１】
この場合、スポンジ再生部344をＬ字形または上方開口のコ字形などの溝状に形成することにより、粉粒物収容部を兼備し、スポンジ再生部344で剥離された粉粒物(汚れ)をその粉粒物収容部に収容することが好ましい。
【００６２】
このような粉粒物収容部を兼備するスポンジ再生部344を用いる場合は、ローラ状スポンジ320Ａの寿命を長期化することができるとともに、剥離された粉粒物(汚れ)が第２研磨材カセット300内に飛散することを防止することができる。
【００６３】
また、上記実施の形態においては、球搬送ユニット100の球搬送手段120の球通路を下側から上側に斜めに設けたが、球入口および球出口の上下位置関係を逆にして、球通路を上側から下側に斜めに設けて球を斜め下方に搬送するようにしても良い。また、これに対応して、第２研磨材カセット300のローラ状の研磨材320も球搬送ユニット100の球通路と平行に延びるように、その傾斜方向を変えても良い。
【符号の説明】
【００６４】
Ｇ          遊技装置
Ｇ１，Ｇ２  遊技機
Ｍ          球研磨装置
100         球搬送ユニット
120         球搬送手段
121         球搬送ガイド
122         コンベア
Ｐ          球通路
128         第1連絡路、
129         球入口
130         第2連絡路
132         球出口
200         第１研磨材カセット
201         カセット本体
203         無端帯状の研磨材
205         研磨材出口
206         研磨材入口
207         研磨材送り手段
211         研磨材送り手段のギヤ
ＰＦ        研磨領域
225         第２駆動手段のギヤ
300         第２研磨材カセット
310         カセット本体
320         ローラ状の研磨材(ブラシ)
330         伝動手段
320A        ローラ状の研磨材(スポンジ)
340         研磨材再生手段
【図１】
0005947991.tif 000002
【図２】
0005947991.tif 000003
【図３】
0005947991.tif 000004
【図４】
0005947991.tif 000005
【図５】
0005947991.tif 000006
【図６】
0005947991.tif 000007
【図７】
0005947991.tif 000008
【図８】
0005947991.tif 000009
【図９】
0005947991.tif 000010
【図１０】
0005947991.tif 000011
【図１１】
0005947991.tif 000012
【図１２】
0005947991.tif 000013
【図１３】
0005947991.tif 000014
【図１４】
0005947991.tif 000015
【図１５】
0005947991.tif 000016
【図１６】
0005947991.tif 000017
【図１７】
0005947991.tif 000018
【図１８】
0005947991.tif 000019
【図１９】
0005947991.tif 000020
【図２０】
0005947991.tif 000021
【図２１】
0005947991.tif 000022
【図２２】
0005947991.tif 000023